(57)【要約】    【課題】  閉位置にある引戸本体と戸当りとの間に隙間を生じることがなく、気密性能、遮音性能に優れた引戸装置を提供する。    【解決手段】平行移動することにより開口部を開閉する引戸本体を設けた引戸装置であって、前記開口部に形成され、かつ閉位置の引戸本体の正面に向き合う戸当りに吸着受体を設けるとともに、引戸本体の正面に形成された取付凹部に前記吸着受体と磁力によって引き合い吸着する吸着体を固着し、前記吸着受体、又は吸着体は、その一方が磁石からなり、他方が前記磁石と引き合う金属、又は前記磁石と引き合う他の磁石からなり、また前記吸着体は、長尺板状の本体部と、該本体部の裏側にのび引戸本体の前記取付凹部に挿入された脚片部とからなり、前記脚片部はその先端に抜け止め手段を具え、前記吸着体は、取付凹部が露呈することをふせぐために本体部の両側部が取付凹部の外側にまでのびた鍔部を有することを特徴とする。【選択図】  図１３
2005163371.tif 000002
【特許請求の範囲】
【請求項１】
平行移動することにより開口部を開閉する引戸本体を設けた引戸装置であって、
前記開口部に形成され、かつ閉位置の引戸本体の正面に向き合う戸当りに吸着受体を設けるとともに、引戸本体の正面に形成された取付凹部に前記吸着受体と磁力によって引き合い吸着する吸着体を固着したことを特徴とする引戸装置。 
【請求項２】
前記吸着受体、又は吸着体は、その一方が磁石からなり、他方が前記磁石と引き合う金属、又は前記磁石と引き合う他の磁石からなることを特徴とする請求項１記載の引戸装置。
【請求項３】
前記吸着体は、長尺板状の本体部と、該本体部の裏側にのび引戸本体の前記取付凹部に挿入された脚片部とからなり、
前記脚片部はその先端に抜け止め手段を具えたことを特徴とする請求項１又は２記載の引戸装置。
【請求項４】
前記吸着体は、取付凹部が露呈することをふせぐために本体部の両側部が取付凹部の外側にまでのびた鍔部を有することを特徴とする請求項３記載の引戸装置。
【発明の詳細な説明】
【技術分野】
【０００１】
本発明は、気密性能、遮音性能に優れた引戸装置に関する。
【背景技術】
【０００２】
開口部を開閉する引戸本体を閉位置に移動させたとき、戸当りに衝突する際の反動で引戸本体が押し戻され、引戸本体と戸当りとの間に隙間ができるため、気密性能、遮音性能が低下することがある。また、引戸本体を隙間を生じることなく閉めるためには、閉位置で引戸本体を戸当りに軽く押付け、引戸本体を前記隙間の出来ない位置に静止させることが必要となり、操作性が悪いという問題がある。
【０００３】
そのため、引戸本体が走行するレールに板バネなどのストッパーを取り付け、引戸本体の走行を該ストッパーで押圧することにより減速させ、戸当りとの間に隙間のない位置で引戸を停止させる停止装置が用いられている。しかしながら、前記停止装置は、引戸本体の走行速度が一定でないため、ストッパーの押圧力を如何に調整しても、引戸本体を戸当りとの間に隙間なく停止させることは、困難であった。
【０００４】
そこで、図１７に示すように、引戸本体ａの側端面に磁石ｂを設けるとともに、戸当りを構成する引戸枠の縦枠ｃに前記磁石ｂにより引寄せられる金属片ｄを設け、磁石ｂと、金属片ｄとが磁力により吸着し、隙間をなくすことが提案されている（例えば、特許文献１参照）。
【０００５】
【特許文献１】特開平９−２９１７５１号公報
【発明の開示】
【発明が解決しようとする課題】
【０００６】
しかしながら、引戸本体の側端面は、引戸本体の厚さと等しい幅となり比較的小さな寸法に形成されるため、ここに設ける磁石の大きさは制限され、得られる吸着力が不足し、その結果引戸本体と戸当りの間に隙間を生じる場合がある。
【０００７】
本発明は、前記した引戸装置が有する問題点を解消し、閉位置にある引戸本体と戸当りとの間に隙間を生じることがなく、気密性能、遮音性能に優れた引戸装置の提供を課題としている。
【課題を解決するための手段】
【０００８】
前記目的を達成するために、請求項１記載の発明は、平行移動することにより開口部を開閉する引戸本体を設けた引戸装置であって、前記開口部に形成され、かつ閉位置の引戸本体の正面に向き合う戸当りに吸着受体を設けるとともに、引戸本体の正面に形成された取付凹部に前記吸着受体と磁力によって引き合い吸着する吸着体を固着したことを特徴とする。
【０００９】
また請求項２記載の発明は、前記吸着受体、又は吸着体は、その一方が磁石からなり、他方が前記磁石と引き合う金属、又は前記磁石と引き合う他の磁石からなることを特徴とする請求項１記載の引戸装置である。
【００１０】
また請求項３記載の発明は、前記吸着体は、長尺板状の本体部と、該本体部の裏側にのび引戸本体の前記取付凹部に挿入された脚片部とからなり、前記脚片部はその先端に抜け止め手段を具えたことを特徴とする請求項１又は２記載の引戸装置である。
【００１１】
また請求項４記載の発明は、前記吸着体は、取付凹部が露呈することをふせぐために本体部の両側部が取付凹部の外側にまでのびた鍔部を有することを特徴とする請求項３記載の引戸装置である。
【発明の効果】
【００１２】
叙上の如く本発明は、引戸本体の正面に形成された取付凹部に吸着体を設けているので、吸着体はその大きさ（表面積）に制約を受けることがないため、吸着受体と強く引き合う大きさの吸着体を設けることができ、その結果閉位置の引戸本体と戸当りとの間に隙間を生じることなく、気密性能、遮音性能が向上する。また取付凹部に固着された吸着体は、引戸本体の正面から大きく突出することなく取付けできるため外観を損なうことがなく、しかも取付強度は大きい。
【００１３】
また請求項３記載の発明のように、前記吸着体は、長尺板状の本体部と、該本体部の裏側にのび引戸本体の正面に形成された取付凹部に挿入された脚片部とからなり、前記脚片部はその先端に抜け止め手段を具えると、脚片部を取付凹部に挿入して吸着体を引戸本体の正面に簡単に取付ることができ、しかも脚片部は抜け止め手段を有するため吸着体が外れることがない。
【００１４】
また請求項４記載の発明のように、前記吸着体は、取付凹部が露呈することを防ぐため、本体部の両側部が取付凹部の外側にまでのびた鍔部を有する場合、取付凹部が見えることがないため引戸本体の見栄えが優れる。
【発明を実施するための最良の形態】
【００１５】
以下、本発明の実施の一形態を、図示例とともに説明する。図１は本発明の引戸装置１の正面図、図２はそのＡ−Ａ断面図、図３はＢ−Ｂ断面図である。本発明の引戸装置１は、平行移動することにより開口部３を開閉する引戸本体４を設けている。そして本形態の引戸装置１は、引戸本体４がガイドレール２１と下レール２２とに誘導され、隣接壁部２３に対面する開位置１９と、開口部３を塞ぐ閉位置２０との間を平行移動可能に支持されたものを例示している。
【００１６】
前記開口部３は、図１に示すように、人の出入、採光、通風等のため、住宅等建築物の居室と廊下、又は隣接する居室間等に立設された間仕切壁、又は外壁等の壁Ｗに設けられた空所であり、高さは例えば１８００〜２７００ｍｍ程度、幅は例えば７００〜１６００ｍｍ程度に形成される。
【００１７】
前記隣接壁部２３は、前記壁Ｗの中で、前記開口部３に隣接し、かつ開位置１９の引戸本体４と向き合う部分で構成され、主壁部２４と、該主壁部２４の開口部３側に連続して形成される縁壁部２５とからなる。
【００１８】
前記主壁部２４は、図２、３に示すように、下地桟２６の両側に石膏ボード、合板等の内装下地板２７を固定し、更にその上に壁クロス、壁紙、塗り壁等の仕上層（図示せず）を積層している。また本形態では、前記主壁部２４とこれに続く壁Ｗとは、同じ厚さで段差なく形成するとともに、前記仕上層は連続して形成しているため、外観が優れるとともに設計施工の作業を合理化しうる。更に前記主壁部２４とこれに続く壁Ｗとを下地を含めて連続した一体構造として構成することもできる。
【００１９】
前記縁壁部２５は基板２８と、該基板２８の一方側に設けた傾斜部材２９と、他方側に設けた内装下地板３０とからなり、前記傾斜部材２９は、引戸本体４に対面する表面が、開口部３に近い程後退する傾斜部２９Ａを具える。該傾斜部材２９は、本形態では、再生木材の押出し成形で中実に形成しているが、Ｖカット加工を用いた修正木材、合整成樹脂の押出し成形等で中空に形成することもできる。また基板２８と、傾斜部材２９と、内装下地板３０とを予め一体化した縁壁パネルを、前記主壁部２４の開口部３側に取付けて縁壁部２５を形成することもできる。さらには、主壁部２４と縁壁部２５とを予め一体化した隣接壁部パネルを使用するなど、各種の変形が可能である。
【００２０】
前記ガイドレール２１は、図４、６に示すように、水平な筒状の基体３１と、この基体３１内を移動する移動部３２とからなる。そして前記基体３１は、下方に開口する溝部３３と、ガイド板３４とを具え、前記隣接壁部２３の上部と開口部３の上部とに亘り設けられる。前記基体３１は、上部に立設した取付片３５がビス３６により壁Ｗに固着され、かつ該基体３１の上面及び前面は、横Ｌ字状の化粧木材等からなる飾り材３７により覆われる。
【００２１】
前記ガイド板３４は、図３に示すように、引戸本体４の幅寸法よりも少し短い間隔で、前記基体３１の長手方向に縦列した２個のスリット状のガイド部３８, ３８を具える。そしてこのガイド部３８は、前記隣接壁部２３に平行な方向の直行部３９と、この直行部３９に連続し、該直行部３９から開口部３に漸次近づき、前記直行部３９に対し平面視斜めを向く斜行部４０を有し、本形態では、前記斜行部４０は平面視湾曲状に形成されている。
【００２２】
前記移動部３２は、第１の移動部３２Ａと、第２の移動部３２Ｂとからなり、第１の移動部３２Ａは、基台４１と、該基台４１の両側に各々２個設けられた第１の車輪４２Ａとを具え、該第１の車輪４２Ａが、基台４１のリップからなる走路４３上を走行することにより、移動部３２は、基体３１内を該基体３１の長手方向に移動する。前記第２の移動部３２Ｂは、計４個の第２の車輪４２Ｂを具え、前記第１の移動部３２Ａの基台４１上を前記長手方向に直行する方向に移動する。
【００２３】
前記第２の移動部３２Ｂは、その下部から垂下した支持軸４４を有し、該支持軸４４は、前記第１の移動部３２Ａの基台４１に設けられ、かつ前記基体３１の長手方向に直交する方向に形成された長孔４５、及び前記ガイド部３８を挿通して下方に伸び、その下端に取付プレート４６を具える。前記取付プレート４６は、前記引戸本体４の上部に形成されたスリット４７に嵌合固定し、これにより引戸本体４は、移動部３２から吊下がった状態で支持される。前記基体３１内に２個設けられた移動部３２の支持軸４４, ４４は、前記２個のガイド部３８, ３８にそれぞれ挿通し、引戸本体４の両端部を各々支持している。これにより、前記ガイドレール２１に案内された引戸本体４は、隣接壁部２３に対面する開位置１９と、該開位置１９から隣接壁部２３に沿って移動するとともに、前記支持軸４４がガイド部３８の斜行部４０内を移動することにより、開口部３を塞ぐ閉位置２０との間を平行移動しうる。なお本明細書において閉位置２０とは、引戸本体４が開口部３に対面する位置から開口部３の出入方向にスライドすることにより該開口部３の内側に嵌まり、開口部３を塞ぐ引戸本体４の位置を言う。図３において、開位置１９、閉位置２０における引戸本体４を各々４Ｘ、４Ｙで示す。
【００２４】
前記支持軸４４は、図３に示すように、前記引戸本体４が閉位置２０に至る直前と、閉位置２０から開き始めた直後において、ガイド部３８の斜行部４０内を移動するため、支持軸４４に吊下げられた引戸本体４は、矢印Ｘの方向に小さく斜めに平行移動する。しかし、前記隣接壁部２３は、傾斜部２９Ａを設けているため、前記引戸本体４は、その端部が隣接壁部２３と衝突することがなく、傾斜部２９Ａの前方に形成された空間Ｓを移動し、スムースな開閉動作を可能とする。さらに、前記の如く、引戸本体４と隣接壁部２３の衝突が回避されるため、前記ガイドレール２１の斜行部４０を緩やかに形成することにより引戸本体４の開閉の動線を更に滑らかとすることができ、これにより引戸本体４の開閉に要する力を減じることができるとともに、引戸本体４が戸当り２に当る際の衝撃を緩和でき、騒音と振動の発生を抑制しうる。
【００２５】
前記隣接壁部２３は、図２、７に示すように、その下部に幅木４８が設けられ、該幅木４８は、主壁部２４に続く壁Ｗに連続してのび、一連に形成されている。また前記幅木４８は、前記縁壁部２５の傾斜部２９Ａに沿い、開口部３に近い程その表面が後退する幅木傾斜部４９を具える。
【００２６】
また、前記幅木４８は、図７に示すように、下方に向き開口する溝形の下レール２２を一体に設けている。該下レール２２は、基板２２ａと、該基板２２ａの略中央から前方に水平に伸びるウエブ２２ｂと、該ウエブ２２ｂの前端で上下に伸びる前板２２ｃとが一体に形成された断面略Ｈ字状をなし、前記幅木傾斜部４９において、前記縁壁部２５の傾斜部２９Ａに沿い形成された下レール傾斜部５０を有する。また前記下レール２２は、前板１２ｃを幅木４８に嵌合することにより、幅木４８と一体化し、しかも前記基板２２ａを隣接壁部２３の下地部２３Ａに固着することにより、下レール２２及び幅木４８は、隣接壁部２３の下部に取付けられる。また、前記引戸本体４はその下部に、アングル状の基部５２ａと、該基部５２ａから隣接壁部２３に向けて水平に伸びた板状の腕５２ｂと、該腕５２ｂの先端に設けられたローラ５２ｃとからなる支持部５２を取付け、該支持部５２のローラ５２ｃは、前記下レール２２内に挿入されている。これにより、引戸本体４は、隣接壁部２３の面方向に直角に揺動することを防止でき、しかも引戸本体４が閉位置２０に至る直前と、閉位置２０から開き始めた直後に、引戸本体４が小さく斜め方向に平行移動する際、前記下レール傾斜部５０は、引戸本体４の下部を確実に支持するため、引戸本体４をスムースに開閉することができる。さらに、下レール２２と幅木４８とは、一体に形成しているため、外観が優れる。
【００２７】
前記引戸本体４は、図８、９に示すように、本形態では戸枠体４Ａと、該戸枠体４Ａの両面に添着された表面材４Ｂ, ４Ｂとを含み構成されたものを例示している。なお図９は図８のＥ−Ｅ断面図、図１０は図８のＦ−Ｆ断面図である。そして前記戸枠体４Ａは、図１１に示すように、間隔を隔て配された一対の側枠４Ａａ, ４Ａａの上下端間に、各々上枠４Ａｂ、下枠４Ａｃを取付け、さらに両側枠４Ａａ, ４Ａａ間に、複数の水平な中枠４Ａｄを隔設して構成されている。また、側枠４Ａａ、上枠４Ａｂ、下枠４Ａ及び中枠４Ａｄは、単板積層材（ＬＶＬ）、ラワン、杉、米松などを用いて形成される。そして、一方の両側枠４Ａａの中位でその内側に、取っ手取付部の補強のため座板５３が固着されている。
【００２８】
前記表面材４Ｂは、前記戸枠体４Ａの両面に釘、ビスなどの固着具、接着剤を用いて添着され、表面材４Ｂと前記戸枠体４Ａとは、その外周側面が面一に揃っている。また表面材４Ｂは、本形態では、合板、ＭＤＦ( 中密度繊維板) 、パーティクルボード、集成材などの木質基板に化粧層を積層した化粧板材を用いて形成される。そして前記化粧層は、ポリエチレン、ポリプロピレン、エチレン酢ビ樹脂（ＥＶＡ）などのオレフィン系樹脂、メラミン樹脂、ポリエステル樹脂その他の樹脂シートを添着して形成されるほか、ナラ、サクラ、チーク、ケヤキ、トチ、セン、カバ等の原木を機械的に例えば０．２〜０．６ｍｍ程度の厚さにスライスした突板をメラミン・ユリア共縮合接着剤、フェノール系接着剤、アミノ系接着剤、ユリア系接着剤で接着し、またその上に塗装を施して形成される。この他前記化粧層は、前記木質基板に化粧板用の化粧紙を接着した上に、不飽和ポリエステル樹脂を塗布して形成し、また木質基板の表面をポリエステル樹脂、ポリウレタン樹脂、アミノアルキド樹脂、アクリル樹脂等で塗装して形成することもよい。
【００２９】
また引戸本体４は、図１０に示すように、その正面に取付凹部６が形成されている。なお本明細書で引戸本体４の正面とは、両側面及び上下端面を除いたニつの面をいい、この二つの面は表背の区別はなく、双方を正面という。本形態の取付凹部６は、引戸本体４の上端から下端に亘り、引戸本体４の正面の両側部に一対配され、しかも各々の取付凹部６は、平行な一対の取付溝６ａ, ６ａからなるものを例示している。
【００３０】
前記取付溝６ａは、幅が例えば５〜４０ｍｍ程度、深さが例えば３〜２０ｍｍ程度に形成され、一対の取付溝６ａ, ６ａの間隔は例えば５００〜１４００ｍｍ程度に形成される。そして取付溝６ａは、戸枠体４Ａに固着した後、或いは固着の前に、前記表面材４Ｂに、電動切削機を用いて加工される。
【００３１】
前記取付凹部６には、図１２（Ａ）、（Ｂ）に示すように、吸着体Ｍ２が固着される。本形態の吸着体Ｍ２は、長尺板状の本体部５と該本体部５の両側縁から裏側へ直角に折れ曲がった一対の脚片部７とを具え、さらに該脚片部７の先端が各々内側に鋭角に折れ曲がって形成された折曲片８ａを含むものを例示している。そして本形態の吸着体Ｍ２は、全体が鉄板などをロール成形で折り曲げることにより加工され、磁力により磁石と引き合い吸着する金属を用いて形成されている。
【００３２】
吸着体Ｍ２は、脚片部７が取付溝６ａに挿入され、かつ折曲片８ａが取付溝６ａの内面に係止し、これにより取付凹部６に固着されている。そして脚片部７の先端に形成された折曲片８ａは、抜け止め手段８を形成している。
【００３３】
閉位置２０に位置する引戸本体４の正面に固着された前記吸着体Ｍ２は、開口部３に形成された戸当り２と向き合う。戸当り２は、閉位置に向い移動する引戸本体４が行き過ぎないようにするため開口枠に設けられるものであり、本形態では、図２に示すように、隣接壁部２３の縁壁部２５の開口部に臨む端部に形成された一方の開口縦枠５４からなる摺り戸当り２Ａと、該摺り戸当り２Ａと開口部３を挟んで向き合い、他方の開口縦枠５４に固着された受け戸当り２Ｂとを含み構成されている。
【００３４】
前記戸当り２は、その引戸本体４に向く面に、前記吸着体Ｍ２と磁力によって引き合う吸着受体Ｍ１が設けられる。吸着受体Ｍ１は、本形態では、図１３に示すように、長尺扁平棒状の磁石１０で形成されたものを例示している。なお磁石１０は、クロロプレンゴム、スチレン・ブタジエンゴム、イソプレンゴム等のゴム、オレフィン系、スチレン系、塩化ビニル系等の熱可塑性エストラマー、その他の弾性体を用いた被覆層５６で覆われてパッキンを構成したものを例示している。そして吸着受体Ｍ１は、接着、粘着、嵌合、ビス固定などにより戸当り２に固着されている。
【００３５】
しかして、閉位置２０に位置する引戸本体４正面の吸着体Ｍ２と、摺り戸当り２Ａ及び受け戸当り２Ｂとに設けられた吸着受体Ｍ１は、向き合う位置に配されかつ磁力によって引き合い相互に吸着する。そのため、前記ガイドレール２１に案内され隣接壁部２３に対面する開位置１９と、開口部３を塞ぐ閉位置２０との間を平行移動する引戸本体４は、閉位置２０に向け移動するとき、閉位置２０に至る直前に、支持軸４４がガイド部３８の斜行部４０内を移動することにより、矢印Ｘの方向に斜めに平行移動して戸当り２に衝突し、その際の反動により押し戻す力が作用しても、前記磁力により隙間を生じることがなく、その結果気密性能、遮音性能が向上し、冷暖房効果が高まる。しかも、吸着体Ｍ２は、引戸本体４の正面に設けられるため、必要な磁力に応じた大きさに形成でき、その結果充分な強さの磁力を得ることができる。また吸着体Ｍ２は、取付凹部６に固着されるため、引戸本体４から大きく突出することがなく、見栄えに優れ、しかも取付強度が大きい。
【００３６】
前記本形態では、吸着受体Ｍ１を磁石１０で形成し、吸着体Ｍ２を鉄など磁石１０と引き合い吸着する金属で形成しているが、逆に吸着受体Ｍ１を金属で形成し、吸着体Ｍ２を磁石１０で形成することもよい。さらに、吸着受体Ｍ１と吸着体Ｍ２とをともに磁石１０で形成し、かつ相互に向き合う吸着受体Ｍ１の表面側にＮ極又はＳ極を配置し、吸着体Ｍ２の表面側にＳ極又はＮ極を配置することにより、吸着受体Ｍ１と吸着体Ｍ２とを磁力により引き合い吸着するように構成してもよい。
【００３７】
図１４は、本発明の引戸装置１の異なる実施形態を例示する。本形態の吸着体Ｍ２は、長尺板状の本体部５と、該本体部５の両側部から１８０度裏側へ折れ曲がり、更にその先が裏側に向け直角に折れ曲がった一対の脚片部７, ７を有し、該脚片部７よりも外側の本体部５により鍔部９が形成されている。そして該吸着体Ｍ２は、その脚片部７が、引戸本体４の正面に設けられた取付凹部６を形成する一対の取付溝６ａに挿入され、かつ脚片部７の先端の折曲片８ａが取付溝６ａの内面に係止し、これにより取付凹部６に固着されている。そして取付凹部６は、脚片部７よりも外側部分が前記鍔部９により覆われて露呈することがないため、外観を損なうことがない。また、鍔部９により本体部５の面積が拡大するため、磁力による吸着力が増大する。
【００３８】
図１５は、本発明の引戸装置１の更に異なる実施形態を例示する。本形態の吸着体Ｍ２は、長尺板状の本体部５と、一側部から１８０度裏側へ折れ曲がり、更にその先が裏側に向け直角に折れ曲がった脚片部７を有するものである。そして該吸着体Ｍ２は、その脚片部７が、引戸本体４正面の取付溝６ａに挿入され、かつ脚片部７の先端の折曲片８ａが取付溝６ａの内面に係止し、これにより取付凹部６に固着されている。なお、本形態の吸着体Ｍ２も、本体部５の両側部に鍔部９を有し、取付凹部６を覆っている。
【００３９】
図１６（Ａ）、（Ｂ）は、本発明の引戸装置１の更に異なる実施形態を例示する。本形態の引戸本体４は、図示しない周知の支持レールにより、該引戸本体４の面方向に沿って平行移動することにより開口部３を開閉し、その正面に形成された取付凹部６に吸着体Ｍ２が固着されている。また、本形態では、基端部を軸５７により開口縦枠５４に枢着された基部５８と該基部５８の先端で緩やかに折れ曲がった当接部５９とからなる折曲板状の可動戸当り２Ｃにより戸当り２を形成している。そして、当接部５９の引戸本体４に向き合う側に、吸着受体Ｍ１が設けられ、前記可動戸当りＣは、バネ６０により当接部５９が、閉位置の引戸本体４から離れる方向（図において、半時計廻り）に付勢されている。
【００４０】
しかして、図１６（Ａ）に示すように、前記可動戸当り２Ｃは、引戸本体４が開いた状態では、バネ６０の力により半時計廻りの方向に回転し、基部５８が開口縦枠５４の突部６１に支持される位置で待機している。そして図１６（Ｂ）に示すように、引戸本体４が閉位置に移動すると、吸着受体Ｍ１が吸着体Ｍ２に磁力によって引き付けられるため、可動戸当り２Ｃがバネ６０の力に抗し、時計廻りに回転し、その結果、吸着受体Ｍ１は、吸着体Ｍ２に確実に吸着することができるものである。
【図面の簡単な説明】
【００４１】
【図１】本発明の一実施の形態を例示する正面図である。
【図２】そのＡ−Ａ断面図である。
【図３】そのＢ−Ｂ断面図である。
【図４】そのＣ−Ｃ断面図である。
【図５】そのＤ−Ｄ断面図である。
【図６】ガイドレール部分の拡大斜視図である。
【図７】下レール部分の拡大斜視図である。
【図８】引戸本体の正面図である。
【図９】そのＥ−Ｅ断面図である。
【図１０】そのＦ−Ｆ拡大断面図である。
【図１１】引戸本体の戸枠体の正面図である。
【図１２】（Ａ）は、吸着体を取外した引戸本体の分解部分拡大斜視図、（Ｂ）は吸着体が取り付いた状態の引戸本体の部分拡大斜視図である。
【図１３】吸着受体と、吸着体との吸着状態を説明する部分拡大斜視図である。
【図１４】本発明の異なる実施形態を例示する要部拡大図である。
【図１５】本発明の更に異なる実施形態を例示する要部拡大図である。
【図１６】本発明の異なる実施形態を例示し、（Ａ）（Ｂ）はその異なる動作状態を示す要部拡大図である。
【図１７】従来例を示す略図である。
【符号の説明】
【００４２】
１      引戸装置
２      戸当り
３      開口部
４      引戸本体
５      本体部
６      取付凹部
７      脚片部
８      抜け止め手段
９      鍔部
１０    磁石
Ｍ１    吸着受体
Ｍ２    吸着体
【図１】
2005163371.tif 000003
【図２】
2005163371.tif 000004
【図３】
2005163371.tif 000005
【図４】
2005163371.tif 000006
【図５】
2005163371.tif 000007
【図６】
2005163371.tif 000008
【図７】
2005163371.tif 000009
【図８】
2005163371.tif 000010
【図９】
2005163371.tif 000011
【図１０】
2005163371.tif 000012
【図１１】
2005163371.tif 000013
【図１２】
2005163371.tif 000014
【図１３】
2005163371.tif 000015
【図１４】
2005163371.tif 000016
【図１５】
2005163371.tif 000017
【図１６】
2005163371.tif 000018
【図１７】
2005163371.tif 000019